(57)【要約】【課題】  被調和室の快適性を向上させること。【解決手段】  空気調和機本体と、この空気調和機本体に一体化され、全熱交換素子１１を有する全熱交換器本体とを備えた空気調和装置において、全熱交換器本体は、全熱交換素子１１を介して換気する換気風路４１と、全熱交換素子１１をバイパスして換気するバイパス換気風路２５と、換気風路４１又はバイパス換気風路２５のいずれかの風路に切り換えるダンパ２２、２６とを備え、空気調和機本体の空調運転中に、空気調和機本体の設定温度に室外温度が近づいた場合、ダンパ２２、２６によりバイパス換気風路２５に切り換える。【選択図】      図１
2006071214.tif 000002
【特許請求の範囲】
【請求項１】
空気調和機本体と、この空気調和機本体に一体化され、全熱交換素子を有する全熱交換器本体とを備えた空気調和装置において、
前記全熱交換器本体は、前記全熱交換素子を介して換気する換気風路と、前記全熱交換素子をバイパスして換気するバイパス換気風路と、前記換気風路又は前記バイパス換気風路のいずれかの風路に切り換える切換手段とを備え、
この切換手段は、前記空気調和機本体の空調運転中に、前記空気調和機本体の設定温度に室外温度が近づいた場合、前記バイパス換気風路に切り換えることを特徴とする空気調和装置。
【請求項２】
前記切換手段は、前記室外温度が前記設定温度を含む所定温度範囲内である場合、前記バイパス換気風路に切り換えることを特徴とする請求項１に記載の空気調和装置。
【請求項３】
前記制御手段は、前記室外温度が前記設定温度を含む所定温度範囲内であって、室内温度が、前記設定温度よりも高く、且つ、前記室外温度よりも高い場合、又は、前記室内温度が、前記設定温度よりも低く、且つ、前記室外温度よりも低い場合、前記バイパス換気風路に切り換えることを特徴とする請求項１に記載の空気調和装置。
【請求項４】
前記切換手段は、前記バイパス換気風路に切り換えてから第１所定時間経過した後に、前記換気風路に強制的に切り換えると共に、この換気風路への切り換えを行ってから第２所定時間は、前記バイパス換気風路への切り換えを禁止することを特徴とする請求項１乃至請求項３のいずれか一項に記載の空気調和装置。
【請求項５】
空気調和機本体と、この空気調和機本体に一体化され、全熱交換素子を有する全熱交換器本体とを備え、この全熱交換器本体は、前記全熱交換素子を介して換気する換気風路と、前記全熱交換素子をバイパスして換気するバイパス換気風路とを備えた空気調和装置の制御方法において、
前記空気調和機本体の空調運転中に、前記空気調和機本体の設定温度に室外温度が近づいたか否かを判断する判断過程と、
前記空気調和機本体の設定温度に室外温度が近づいた場合、前記換気風路から前記バイパス換気風路に切り換える切換過程とを備えたことを特徴とする空気調和装置の制御方法。
【発明の詳細な説明】
【技術分野】
【０００１】
本発明は、空気調和機本体と、この空気調和機本体に一体化された全熱交換器本体とを備えた空気調和装置及び空気調和装置の制御方法に関する。
【背景技術】
【０００２】
従来、換気機能を備えたものとしては、ビルトインタイプが主流である。しかし、このビルトインタイプには、既設の建物に据え付ける場合、多大な工事費と工事期間がかかるという欠点がある。また、この空気調和装置のほかに、全熱交換器を別置きするタイプが提案されている。しかし、これだと、空気調和装置の吹出し口から吹出される空気の空気質や温度、湿度等が異なる空気が、全熱交換器から吹出されることになるため、室内空気にムラが生じるといった問題がある。これに対し、空気調和機本体と、この空気調和機本体と一体化された全熱交換器本体とを備えた空気調和装置が提案されている（例えば、特許文献１）。
【０００３】
この場合、全熱交換器本体で熱交換された外気を、空気調和機本体の利用側熱交換器の一次側に導入し、この一次側で外気と内気とをミキシングし、これらを熱交換した後、空気調和機本体の吹出し口から吹出すように構成されている。
【特許文献１】実公平３−３８７１号公報
【発明の開示】
【発明が解決しようとする課題】
【０００４】
しかしながら、全熱交換器本体で常に外気と内気とを熱交換させる構成とした場合、室外が快適な温度であっても、全熱交換器本体で常に外気と内気とが熱交換されるので、被調和室が不快な温度である場合に被調和室を迅速に快適な温度にすることができず、被調和室の快適性が損なわれることがあった。
【０００５】
そこで、本発明の目的は、上述した従来の技術が有する課題を解消し、被調和室の快適性を向上させることができる空気調和装置及び空気調和装置の制御方法を提供することにある。
【課題を解決するための手段】
【０００６】
上記目的を達成するために、本発明は、空気調和機本体と、この空気調和機本体に一体化され、全熱交換素子を有する全熱交換器本体とを備えた空気調和装置において、前記全熱交換器本体は、前記全熱交換素子を介して換気する換気風路と、前記全熱交換素子をバイパスして換気するバイパス換気風路と、前記換気風路又は前記バイパス換気風路のいずれかの風路に切り換える切換手段とを備え、この切換手段は、前記空気調和機本体の空調運転中に、前記空気調和機本体の設定温度に室外温度が近づいた場合、前記バイパス換気風路に切り換えることを特徴とするものである。
【０００７】
この空気調和装置において、前記切換手段は、前記室外温度が前記設定温度を含む所定温度範囲内である場合、前記バイパス換気風路に切り換えるようにしてもよい。
【０００８】
また、前記空気調和装置において、前記制御手段は、前記室外温度が前記設定温度を含む所定温度範囲内であって、室内温度が、前記設定温度よりも高く、且つ、前記室外温度よりも高い場合、又は、前記室内温度が、前記設定温度よりも低く、且つ、前記室外温度よりも低い場合、前記バイパス換気風路に切り換えるようにしてもよい。
【０００９】
また、前記空気調和装置において、前記切換手段は、前記バイパス換気風路に切り換えてから第１所定時間経過した後に、前記換気風路に強制的に切り換えると共に、この換気風路への切り換えを行ってから第２所定時間は、前記バイパス換気風路への切り換えを禁止するようにしてもよい。
【００１０】
また、空気調和機本体と、この空気調和機本体に一体化され、全熱交換素子を有する全熱交換器本体とを備え、この全熱交換器本体は、前記全熱交換素子を介して換気する換気風路と、前記全熱交換素子をバイパスして換気するバイパス換気風路とを備えた空気調和装置の制御方法において、前記空気調和機本体の空調運転中に、前記空気調和機本体の設定温度に室外温度が近づいたか否かを判断する判断過程と、前記空気調和機本体の設定温度に室外温度が近づいた場合、前記換気風路から前記バイパス換気風路に切り換える切換過程とを備えたことを特徴とするものである。
【発明の効果】
【００１１】
本発明では、被調和室の快適性を向上させることができる。
【発明を実施するための最良の形態】
【００１２】
以下、本発明の一実施形態を添付した図面を参照して説明する。
【００１３】
図１において、１００は空気調和装置を示し、２００は全熱交換器を示している。この空気調和装置１００は、圧縮機１を備え、この圧縮機１には四方弁２を介して熱源側熱交換器としての室外熱交換器３が接続されている。この室外熱交換器３には二つのメカ弁４、５を介して利用側熱交換器としての室内熱交換器６が接続され、この室内熱交換器６には上記四方弁２を介してアキュームレータ７が接続され、このアキュームレータ７は圧縮機１に接続されている。
【００１４】
この空気調和装置１００において、実線の矢印は、冷房運転時の冷媒の流れを示す。圧縮機１から吐出された冷媒は、四方弁２を経て室外熱交換器３に至り、ここで凝縮する。そして、メカ弁４、５を経て室内熱交換器６に至り、ここで、室内送風機６Ａからの送風を受けて蒸発して、四方弁２、アキュームレータ７を経て圧縮機１に戻る。上述した室内送風機６Ａによる送風により被調和室が冷房される。
【００１５】
破線矢印は、暖房運転時の冷媒の流れを示す。この場合において、圧縮機１から吐出された冷媒は、四方弁２を経て室内熱交換器６に至り、ここで、室内送風機６Ａからの送風を受けて凝縮した後、メカ弁５、４を経て室外熱交換器３に至る。そして、ここで蒸発して、四方弁２、アキュームレータ７を経て圧縮機１に戻る。上述した室内送風機６Ａによる送風により被調和室が暖房される。
【００１６】
全熱交換器２００は、全熱交換素子１１を備えて構成される。この全熱交換素子１１は、蛇行状に折り曲げた折り曲げ紙に平板状紙をのせ、その上に、上記折曲げ紙とはその折り曲げ方向を変えた折り曲げ紙を重ねるようにして、これら折曲げ紙と平板状紙とを順次積層させて構成され、外気が通過する外気風路４１と、内気が通過する内気風路４２とが形成されている。この全熱交換素子１１には、当該全熱交換素子１１の内気入口１１Ａに被調和室からの排気（内気）が供給されると共に、当該全熱交換素子１１の外気入口１１Ｃに外気が導入される。そして、この全熱交換素子１１の外気風路４１を通過する外気と、内気風路４２を通過する内気との間で熱交換した後、全熱交換素子１１の内気出口１１Ｂから内気を被調和室の外に排気し、全熱交換素子１１の外気出口１１Ｄから外気を被調和室に供給する機能を備える。ここで、外気は、給気ダクト１２、給気ファン１３を経た後、外気フィルタ１４を介して全熱交換素子１１に至り、ここから給気風路１５、加湿器１６、吹出しフラップ１７、吹出しルーバ１８を経て被調和室に吹出される。この加湿器１６には加湿タンク５００が接続され、このタンクに直接給水しておけば、この加湿器１６に加湿水が順次供給される。
【００１７】
被調和室からの内気は、吸込みグリル２１を経て全熱交換素子１１に至り、この全熱交換素子１１を経て第１のダンパ（ダンパ）２２、排気ファン２３、排気ダクト２４を介して室外に排気される。第１のダンパ２２は排気風路２０における全熱交換素子１１の内気出口１１Ｂを遮断自在である。また、バイパス換気風路２５には、当該バイパス換気風路２５を遮断自在とする第２のダンパ２６が設けられている。第１のダンパ２２が排気風路２０における全熱交換素子１１の内気出口１１Ｂを遮断した場合、吸込みグリル２１を経た内気は、全熱交換素子１１をバイパスし、バイパス換気風路２５を介して排気ファン２３に至り、排気ダクト２４を介して室外に排気される。
【００１８】
符号４００は、空気調和装置１００の運転制御を行うリモコンを示し、このリモコンは空気調和機本体１００Ａの制御部４０１と、全熱交換器本体２００Ａの制御部４０２とを１つのケースに収めて構成される。ここで、制御部４０１は室内送風機６Ａやメカ弁５などの制御を行い、制御部４０２は排気ファン２３、給気ファン１３、第１のダンパ２２、第２のダンパ２６などの制御を行うものである。このように、１つのリモコン４００に２つの制御部４０１，４０２をパッケージングしたことにより、リモコン内のマイコンを共通化でき、また、これによってリモコン代が安価となり、リモコンの操作性が向上する。
【００１９】
図２は空気調和装置１００を下から見た斜視図である。
【００２０】
本実施形態では、空気調和装置１００が、天井に吊り下げられる空気調和機本体１００Ａと、この空気調和機本体１００Ａの後部に連結されて一体化された外気調温用の全熱交換器本体２００Ａとを備えて構成されている。
【００２１】
空気調和機本体１００Ａの内部には、図３に示すように、上述した室内熱交換器６、室内送風機６Ａ、ドレンパン６Ｂ、さらには電装箱１９等が配置され、その吸込みグリル９にはフィルタ９Ａが配置されている。これが運転されると、吸込みグリル９を介して内気が吸い込まれ、この内気は、室内送風機６Ａを経て室内熱交換器６に至り、ここで冷媒と熱交換した後に、吹出し口３２を介して被調和室に吹出される。
【００２２】
全熱交換器本体２００Ａの内部には、上述した全熱交換素子１１、給気ファン１３、排気ファン２３等が配置され、その吸込みグリル２１にはフィルタ２１Ａが配置されている。これが運転されると、吸込みグリル２１を介して内気が吸い込まれ、この内気は、全熱交換素子１１に至り、ここで、外気と熱交換した後に、排気ファン２３を介して室外に排気される。一方、外気は、給気ファン１３を介して、全熱交換素子１１に至り、ここで、内気と熱交換した後に、給気風路１５（図１参照）、加湿器１６、吹出しフラップ１７、吹出しルーバ１８等を経て、吹出し口３４から被調和室に吹出される。全熱交換器本体２００Ａには、給排気ダクト１２、２４が接続されるが、これら給排気ダクト１２、２４は、全熱交換器本体２００Ａの下面若しくは背面に接続される。なお、図３では、加湿器１６、吹出しフラップ１７等の図示を省略している。
【００２３】
上記構成では、各本体１００Ａ，２００Ａの吹出し口３２，３４が夫々独立して形成されている。そして、各吹出し口３２，３４は、近接配置され、空気調和機本体１００Ａの吹出し口３２から吹出される空気と、全熱交換器本体２００Ａの吹出し口３４から吹出される空気とを、各吹出し口３２，３４の出口でミキシング自在に構成されている。このように、各吹出し口３２，３４は夫々独立し、本ユニット内では、全熱交換器本体２００Ａの空気が、空気調和機本体１００Ａ内に進入することがない。
【００２４】
この構成では、例えば、空気調和機本体１００Ａの吹出し風量が１０００ｍ３／ｈで設計され、全熱交換器本体２００Ａの吸込み風量が５００ｍ３／ｈで設計された場合、各吹出し口３２，３４が夫々独立であるため、そのときの循環風量は１５００ｍ３／ｈに維持される。ちなみに、従来の構成のように、全熱交換器本体２００Ａの給気風路が、空気調和機本体１００Ａの熱交換器の一次側に接続される構成であれば、各風量が、仮に上記と同様に設計されたとしても、そのときの循環風量は１５００ｍ３／ｈを大きく下回り、むしろ若干の風量アップに止まる。そのため、循環風量不足に至り、新鮮な空気質が得られなくなり、温度分布性能が低くなる。また、吹出し口３２，３４が夫々独立であるため、循環風量が大きくなり、これによって新鮮な空気質が得られ、高い温度分布性能を得ることができる。
【００２５】
この空気調和機本体１００Ａの高さＨ１は、図３に示すように、全熱交換器本体２００Ａの高さＨ２よりも低く形成され、この低くなった空気調和機本体１００Ａの上部には、全熱交換器本体２００Ａの給気風路１５が配置されている。そして、この給気風路１５を含んだ全熱交換器本体２００Ａの全高が、空気調和機本体１００Ａの高さＨ１とほぼ等しくなるように形成されている。
【００２６】
上記給気風路１５の先端部には、当該給気風路１５の幅とほぼ同一幅の吹出し口３４を備え、この吹出し口３４の全幅は、図２及び図４に示すように、空気調和機本体１００Ａの吹出し口３２の全幅と等しくなるように形成されている。また、全熱交換器本体２００Ａの吹出し口３４には、図３に示すように、当該吹出し口３４から吹出される空気を、空気調和機本体１００Ａの吹出し口３２側に案内する案内羽根（案内手段）３５が配置されている。この案内羽根３５の取り付け角度を適宜調整すれば、各吹出し口３２，３４の出口でのミキシング効果を高めることができる。
【００２７】
上記構成では、空気調和機本体１００Ａと全熱交換器本体２００Ａをユニット化したため、各本体を別々に吊り下げる場合に比べ、据付時の吊り工程が一回で済むため、据付作業に要する労力を軽減することができる。また、天吊り全熱交換器本体２００Ａの電源を天吊り空気調和機本体１００Ａと出荷の時点で共通とすることで、据付時の電気工事が一回で済むため、工事に要する労力を軽減でき、工事費を格安に抑えることができる。更に、従来のビルトインタイプに比べた場合、余分な屋根裏工事が不要になる。天吊り空気調和機本体１００Ａの吹出し口３２と天吊り全熱交換器本体２００Ａの吹出し口３４を、接近させた状態としたことで、吹出した後、即時に気流がミキシングされるので、被調和室の温度ムラを少なくすることができると共に、空気質（供給外気と既存室内気）のムラを少なくすることができる。天吊り空気調和装置１００を一体型とすることで、例えば、上述したようにリモコン４００を一つにすることができ、操作性を向上させることができると共に、リモコンの費用を低減することができる。
【００２８】
上記空気調和装置１００では、全熱交換器本体２００Ａの下面から給排気ダクト１２、２４を引き出す構成としたため、空気調和装置１００の後側に壁面３００がある場合、そのダクトに１つのエルボ３０１をつけるだけで、ダクトを後方に引き回すことができる。これによれば、ダクトの引き回し作業が容易となるだけでなく、空気調和装置１００を壁面３００に寄せて設置することができ、見栄えが向上する。全熱交換器本体２００Ａに加湿器１６を設置すれば、被調和室に露出するため、簡単に給水を行うことができる等の効果が得られる。
【００２９】
ところで、図１に示すように、排気風路２０における全熱交換素子１１の内気入口１１Ａ付近であって、図４に示す全熱交換素子１１の長手方向の略中央に対応する位置には、室内温度Ｔｒを検出するための室内温度センサ５１が設けられており、図１に示すように、室外熱交換器３の空気入口側には、室外温度Ｔｏを検出するための室外温度センサ５２が設けられている。これら温度センサ５１、５２は、例えばサーミスタである。
【００３０】
また、リモコン４００は、空気調和機本体１００Ａの空調運転、全熱交換器本体２００Ａの換気運転、室内温度の目標値である設定温度Ｔｍ等がユーザにより設定可能に構成されている。このリモコン４００は、設定温度Ｔｍがユーザにより設定温度範囲内で任意に設定可能に構成されている。空気調和機本体１００Ａは、室内温度センサ５１により検出された室内温度Ｔｒが、設定された設定温度Ｔｍとなるように、空調運転（冷房運転又は暖房運転）を実施する。
【００３１】
具体的には、空気調和機本体１００Ａは、リモコン４００により冷房運転を行うように設定され、室内温度Ｔｒが設定温度Ｔｍよりも高い場合に、室内温度Ｔｒと設定温度Ｔｍとの差温に基づいて冷房運転を実施し、室内温度Ｔｒが設定温度Ｔｍ以下の場合に、サーモオフとなり圧縮機１を停止する。また、空気調和機本体１００Ａは、リモコン４００により暖房運転を行うように設定され、室内温度Ｔｒが設定温度Ｔｍよりも低い場合に、室内温度Ｔｒと設定温度Ｔｍとの差温に基づいて暖房運転を実施し、室内温度Ｔｒが設定温度Ｔｍ以上の場合に、サーモオフとなり圧縮機１を停止する。
【００３２】
本実施形態では、リモコン４００の制御部４０２は、設定温度Ｔｍ、室内温度Ｔｒ及び室外温度Ｔｏに応じて、全熱交換器本体２００Ａの換気運転を、全熱交換素子１１を介して換気する全熱交換換気運転と、全熱交換素子１１をバイパスして換気する普通換気運転とのいずれかに自動的に切り換えるように制御するものである。
【００３３】
ここで、普通換気運転時は、制御部４０２により第１のダンパ２２が閉じられることで排気風路２０における全熱交換素子１１の内気風路４１が遮断され、第２のダンパ２６が開かれることでバイパス換気風路２５が開放される。これによって、普通換気運転時において、吸込みグリル２１を経た内気は、全熱交換素子１１をバイパスし、バイパス換気風路２５を介して排気ファン２３に至り、排気ダクト２４を介して室外に排気される。また、全熱交換換気運転時は、制御部４０２により第１のダンパ２２が開かれることで排気風路２０における全熱交換素子１１の内気風路４１が開放され、第２のダンパ２６が閉じられることでバイパス換気風路２５が遮断される。これによって、全熱交換換気運転時において、吸込みグリル２１を経た内気は、全熱交換素子１１の内気風路４１を経て排気ファン２３、排気ダクト２４を介して室外に排気される。
【００３４】
図５は、リモコン４００の制御部４０２による全熱交換器本体２００Ａの換気制御を示すフローチャートである。
【００３５】
まず、リモコン４００の制御部４０２は、全熱交換器本体２００Ａが換気運転を行っているか否かを判断する（ステップＳ１）。全熱交換器本体２００Ａが換気運転を行っていない場合（ステップＳ１；Ｎｏ）は、処理を終了する。
【００３６】
全熱交換器本体２００Ａが換気運転を行っている場合（ステップＳ１；Ｙｅｓ）、制御部４０２は、室外温度センサ５２により室外温度Ｔｏを検出し、室内温度センサ５１により室内温度Ｔｒを検出し、リモコン４００の制御部４０１に設定された設定温度Ｔｍ（例えば、２３℃）を取得する（ステップＳ２）。
【００３７】
次に、制御部４０２は、室内温度Ｔｒが設定温度Ｔｍよりも高いか否かを判断する（ステップＳ３）。
【００３８】
室内温度Ｔｒが設定温度Ｔｍよりも高い場合（ステップＳ３；Ｙｅｓ）、制御部４０２は、室内温度Ｔｒが室外温度Ｔｏよりも高い第１所定温度以上であるか否かを判断する（ステップＳ４）。例えば、室内温度Ｔｒが室外温度Ｔｏよりも３℃だけ高い第１所定温度以上であるか否かを判断する。
【００３９】
また、ステップＳ３において、室内温度Ｔｒが設定温度Ｔｍ以下の場合（ステップＳ３；Ｎｏ）、制御部４０２は、室内温度Ｔｒが室外温度Ｔｏよりも低い第２所定温度以下であるか否かを判断する（ステップＳ５）。例えば、室内温度Ｔｒが室外温度Ｔｏよりも３℃だけ低い第２所定温度以下であるか否かを判断する。
【００４０】
ステップＳ４において、室内温度Ｔｒが室外温度Ｔｏよりも高い第１所定温度以上である場合（ステップＳ４；Ｙｅｓ）、又は、ステップＳ５において、室内温度Ｔｒが室外温度Ｔｏよりも低い第２所定温度以下である場合（ステップＳ５；Ｙｅｓ）、制御部４０２は、（設定温度Ｔｍ−所定値（１０℃））≦室外温度Ｔｏ≦（設定温度Ｔｍ＋所定値（１０℃））であるか否かを判断する（ステップＳ６）。つまり、制御部４０２は、室外温度Ｔｏが所定温度範囲（設定温度Ｔｍ−１０℃〜設定温度Ｔｍ＋１０℃）内であるか否かを判断している。ここで、所定温度範囲は、春期あるいは秋期の室外温度の範囲に相当する温度範囲であり、ユーザにとって快適な温度範囲（つまり、設定温度Ｔｍに近い温度範囲）に設定されている。なお、所定値として１０℃としたが、これに限るものではなく、快適な温度範囲内であれば、この所定値を任意に設定することが可能である。
【００４１】
ステップＳ６において、（設定温度Ｔｍ−１０℃）≦室外温度Ｔｏ≦（設定温度Ｔｍ＋１０℃）である場合（ステップＳ６；Ｙｅｓ）、制御部４０２は、全熱交換器本体２００Ａの換気運転を普通換気運転に切り換える制御を行う（ステップＳ７）。
【００４２】
つまり、冷房運転を行っている際に、室外温度Ｔｏが室内温度Ｔｒよりも低くなったり（ステップＳ４；Ｙｅｓ）、暖房運転を行っている際に、室外温度Ｔｏが室内温度Ｔｒよりも高くなる場合（ステップＳ５；Ｙｅｓ）、室外温度Ｔｏが所定温度範囲以内であれば、室外温度Ｔｏが空気調和機本体１００Ａの設定温度Ｔｍに近い（ステップＳ６；Ｙｅｓ）と判断されたこととなり、内気を室外に排出する風路が全熱交換素子１１の内気風路４１からバイパス換気風路２５にダンパ２２、２６により切り換えられ、普通換気運転が実施される。これによって、冷房運転あるいは暖房運転中に、全熱交換素子１１を介して換気する全熱交換換気運転を行う場合よりも、より迅速に室内温度Ｔｒを設定温度Ｔｍに近づけることができ、より迅速に被調和室の快適性を向上させることができる。
【００４３】
また、室内温度Ｔｒを設定温度Ｔｍに迅速に近づけることができるので、空気調和機本体１００Ａは、冷房運転状態あるいは暖房運転状態から迅速にサーモオフ状態となり、省エネルギー化を図ることができる。
【００４４】
更に、図３を参照し、吹出し口３４から被調和室に吹き出される外気の温度が設定温度Ｔｍに近いので、各吹出し口３２，３４の出口でミキシングされた空気は、設定温度Ｔｍに近いものである。これによって、被調和室の快適性を向上させることができる。
【００４５】
次に、制御部４０２は、全熱交換器本体２００Ａの換気運転を普通換気運転に切り換えてから第１所定時間（１時間）が経過したか否かを判断する（ステップＳ８）。つまり、制御部４０２は、バイパス換気風路２５に切り換えてから第１所定時間（１時間）が経過したか否かを判断する。
【００４６】
ステップＳ８において、第１所定時間（１時間）が経過していない場合（ステップＳ８；Ｎｏ）、ステップＳ１の処理に戻る。また、ステップＳ８において、第１所定時間（１時間）が経過した場合（ステップＳ８；Ｙｅｓ）、制御部４０２は、全熱交換器本体２００Ａの換気運転を全熱交換換気運転に強制的に切り換える制御を行う（ステップＳ９）。つまり、制御部４０２は、ダンパ２２、２６により、風路をバイパス換気風路２５から全熱交換素子１１の内気風路４２に強制的に切り換える。ここで、室内温度Ｔｒを検出する室内温度センサ５１が全熱交換素子１１の内気入口１１Ａ付近に設けられているので、仮に長時間に亘って全熱交換素子１１の内気入口１１Ａを介して空気の流通がないと室内温度センサ５１により検出される温度が実際の室内温度と異なるものとなってしまう。本実施形態では、ステップＳ９において、全熱交換器本体２００Ａの換気運転が全熱交換換気運転に強制的に切り換えられるので、室内温度センサ５１に内気が供給され、室内温度センサ５１の検出精度の低下を抑制することができる。
【００４７】
制御部４０２は、ステップＳ９で全熱交換換気運転に切り換えてから第２所定時間（１時間）が経過したか否かを判断し（ステップＳ１０）、第２所定時間が経過するまで（ステップＳ１０；Ｎｏ）は、換気運転を普通換気運転へ切り換えるのを禁止する制御を行う。つまり、制御部４０２は、第２所定時間が経過するまでは全熱交換素子１１の内気風路４１からバイパス換気風路２５への風路切り換えを禁止している。この第２所定時間は、室内温度センサ５１により検出される室内温度Ｔｒが実際の室内温度となるのに要する時間に設定される。このように、全熱交換器本体２００Ａの換気運転を全熱交換換気運転に強制的に切り換えてから第２所定時間が経過するまで普通換気運転への切り換えを禁止しているので、室内温度センサ５１により検出される室内温度Ｔｒが実際の室内温度に近づけることができ、室内温度センサ５１の検出精度の低下を抑制することができ、空気調和装置１００の運転の安定性を確保することができる。
【００４８】
ステップＳ１０において、第２所定時間（１時間）が経過した場合（ステップＳ１０；Ｙｅｓ）、制御部４０２は、ステップＳ１の処理に移行する。
【００４９】
また、ステップＳ６において、（設定温度Ｔｍ−１０℃）≦室外温度Ｔｏ≦（設定温度Ｔｍ＋１０℃）を満たしていない場合（ステップＳ６；Ｎｏ）、つまり、室外温度Ｔｏが所定温度範囲外である場合、全熱交換器本体２００Ａの換気運転を全熱交換換気運転に切り換える制御を行う（ステップＳ１１）。つまり、室外温度Ｔｏが所定温度範囲外である場合、全熱交換素子１１の内気風路４１を通じて内気が室外に排出される。これによって、冬期等の寒い時期、あるいは夏期等の暑い時期に、直接冷風或いは熱風が被調和室に供給されるのが防止され、被調和室の快適性の低下を抑制することができる。
【００５０】
また、ステップＳ４において、室内温度Ｔｒが第１所定温度よりも低い場合（ステップＳ４；Ｎｏ）、又は、ステップＳ５において、室内温度Ｔｒが第２所定温度よりも高い場合（ステップＳ５；Ｎｏ）、制御部４０２は、全熱交換本体２００Ａの換気運転を全熱交換換気運転に切り換える制御を行う（ステップＳ１１）。
【００５１】
以上、制御部４０２の制御動作によって、ユーザは、わざわざリモコン４００を操作して全熱交換換気運転又は普通換気運転を設定する必要がなく、単に全熱交換器本体２００Ａを起動する操作のみで換気運転が全熱交換換気運転あるいは普通換気運転に自動的に切り換るので、煩雑な操作がなくなり、ユーザの操作量を削減することができ、更に、被調和室を快適な温度に自動的に調整することができ、被調和室の快適性を向上させることができる。
【００５２】
以上、一実施形態に基づいて本発明を説明したが、本発明は、これに限定されるものではない。例えば、上記実施形態では、バイパス換気風路２５に第２のダンパ２６を設けた場合について説明したが、バイパス換気風路２５の空気抵抗が、全熱交換素子１１の空気抵抗よりも大きければ、第２のダンパ２６を省略してもよい。この場合、第１のダンパ２２により全熱交換素子１１の内気出口１１Ｂが遮断された場合には、内気が全熱交換素子１１をバイパスし、バイパス換気風路２５を介して室外に排気され、第１のダンパ２２により全熱交換素子１１の内気出口１１Ｂが開放された場合には、全熱交換素子１１の空気抵抗がバイパス換気風路２５の空気抵抗よりも小さいので、内気のほとんどが全熱交換素子１１を介して室外に排気されることとなる。
【００５３】
また、第２のダンパ２６を省略し、第１のダンパ２２が全熱交換素子１１の内気出口１１Ｂを遮断した場合にバイパス換気風路２５を開放し、第１のダンパ２２が全熱交換素子１１の内気出口１１Ｂを開放した場合にバイパス換気風路２５を遮断するように構成してもよい。
【００５４】
また、上記実施形態では、第１のダンパ２２が排気経路２０における全熱交換素子１１の内気出口１１Ｂを遮断する場合について説明したが、これに限るものではなく、第１のダンパ２２が全熱交換素子１１の内気入口１１Ａを遮断する場合であってもよい。
【００５５】
また、第１のダンパ２２が給気経路１５における全熱交換素子１１の外気入口１１Ｃ又は外気出口１１Ｄを遮断するように構成してもよい。この場合、バイパス換気風路は、第１のダンパにより全熱交換素子１１が遮断された場合に外気が全熱交換素子１１をバイパスして被調和室に供給されるように構成すればよい。
【図面の簡単な説明】
【００５６】
【図１】本発明による空気調和装置の一実施形態を示す回路図である。
【図２】同空気調和装置を下から見た斜視図である。
【図３】同空気調和装置の断面図である。
【図４】同空気調和装置の平面図である。
【図５】リモコンの制御部による全熱交換器本体の換気制御を示すフローチャートである。
【符号の説明】
【００５７】
１  圧縮機
３  室外熱交換器
６  室内熱交換器
１１  全熱交換素子
１３  給気ファン
１５  給気風路
２０  排気風路
２２  第１のダンパ（切換手段）
２３  排気ファン
２５  バイパス換気風路
２６  第２のダンパ（切換手段）
４１  内気風路（換気風路）
４２  外気風路
５１  室内温度センサ
５２  室外温度センサ
１００  空気調和装置
１００Ａ  空気調和機本体
２００Ａ  全熱交換器本体
４００  リモコン
４０１  制御部
４０２  制御部（切換手段）
【図１】
2006071214.tif 000003
【図２】
2006071214.tif 000004
【図３】
2006071214.tif 000005
【図４】
2006071214.tif 000006
【図５】
2006071214.tif 000007